(57)【要約】【課題】封印線を挿通した状態で指先により挟むことにより簡単に封印が行なえ、その作業性が極めて良好な封印具を提供する。【解決手段】ヒンジ部３を介し連接されると共に接離自在に回動する一対の合成樹脂製の開閉部材１，２からなり、両開閉部材１，２の対向する接合面側に設けられ両開閉部材１，２を閉成したとき挿通された封印線１３を逆抜け不能に咬持する咬持手段５，９と、同じく両開閉部材１，２の対向する接合面側に設けられ両開閉部材１，２を閉成したとき互いに係合して両開閉部材１，２の閉成状態を保持する係合手段４ａ，８ａと、適宜位置に成形され閉成状態の両開閉部材１，２を無理に開成した際に容易に破断し得る薄肉部６，１２とを備え、咬持手段５，９により挿通した封印線１３を咬持すると共に両開閉部材１，２を指先で挟み閉成することにより封印できるようにした。【選択図】図５
2006091511.tif 000002
【特許請求の範囲】
【請求項１】
ヒンジ部を介し連接されると共に接離自在に回動する一対の合成樹脂製の開閉部材からなり、前記両開閉部材の対向する接合面側に設けられ両開閉部材を閉成したとき挿通された封印線を逆抜け不能に咬持する咬持手段と、同じく前記両開閉部材の対向する接合面側に設けられ両開閉部材を閉成したとき互いに係合して前記両開閉部材の閉成状態を保持する係合手段と、適宜位置に成形され閉成状態の前記両開閉部材を無理に開成した際に容易に破断し得る薄肉部とを備え、前記咬持手段により挿通した封印線を咬持すると共に前記両開閉部材を指先で挟み閉成することにより封印できるようにしたことを特徴とする封印具。
【発明の詳細な説明】
【技術分野】
【０００１】
本発明は、積算電力量計等の配電機器、スロットマシン等の遊技機、タクシーメーターなどにおける開閉部または各種袋の口部の封印を行なう封印具に関するものである。
【背景技術】
【０００２】
従来、例えば、本出願人の発明したものであって、積算電力量計の開閉部である端子部の封印を封印線を使って行なうようにした封印具がある。この封印具は、その内部に上面で開口する有底縦孔が成形された半硬質合成樹脂製の本体と前記開口を介して有底縦孔内にきつく挿入される鍵体とからなり、前記本体にはその側壁に前記有底縦孔と連通する横孔が貫設されている。そして、あらかじめ横孔に掛からないようにして鍵体を有底縦孔に挿入しておき、現場では、本体の両側から各横孔に封印線の両端部をそれぞれ挿通し互いに重なる状態で、工具により前記鍵体を更に押し込み有底縦孔の内壁と鍵体との間で封印線を逆抜け不能に挟むようにしている（例えば、特許文献１参照。）。
【特許文献１】実公昭５４−４４０７９号公報（第１−２頁、図６乃至図８）
【発明の開示】
【発明が解決しようとする課題】
【０００３】
しかしながら、前記特許文献１の封印具では、有底縦孔へ一旦挿入された小さい鍵体を工具を用いて更に押し込むことになるので、作業が面倒であって時間が掛かり作業性が悪いという課題があった。
【０００４】
そこで、本発明は上記課題を解決すべくなされたもので、封印線を挿通した状態で指先によって挟むことにより簡単に封印が行なえ、その作業性が極めて良好な封印具を提供することを目的とするものである。
【課題を解決するための手段】
【０００５】
かかる目的を達成するため本発明に係る封印具は、ヒンジ部を介し連接されると共に接離自在に回動する一対の合成樹脂製の開閉部材からなり、両開閉部材の対向する接合面側に設けられ両開閉部材を閉成したとき挿通された封印線を逆抜け不能に咬持する咬持手段と、同じく前記両開閉部材の対向する接合面側に設けられ両開閉部材を閉成したとき互いに係合して両開閉部材の閉成状態を保持する係合手段と、適宜位置に成形され閉成状態の前記両開閉部材を無理に開成した際に容易に破断し得る薄肉部とを備え、前記咬持手段により挿通した封印線を咬持すると共に両開閉部材を指先で挟み閉成することにより封印できるようにした構成からなる。
【０００６】
例えば、積算電力量計用の封印具としては、合成樹脂材によって一体に成形され、ヒンジ部を介し連接されると共に接離自在に回動する本体部と蓋体部とからなり、本体部は周囲を外周側壁により囲まれ、蓋体部は本体部と同じく周囲を外周側壁により囲まれかつ該本体部に外周側壁が互いに重なるようにして被せられ、前記本体部の外周側壁と蓋体部の外周側壁とに該本体部に該蓋体部を被せたとき挿通した封印線の逆抜けが不能となる差込溝を設け、本体部の底板と蓋体部の蓋板とに該蓋体部を該本体部に被せたとき互いに係合して該蓋体部の開成を不能にする鉤部をそれぞれ設け、また、前記本体部または蓋体部には指先で曲げることにより容易に破断できる薄肉部を設けた構成が採られる。
【０００７】
また、例えば、家畜飼料用袋の封印具としては、合成樹脂材によって一体に成形され、ヒンジ部を介し連接されると共に接離自在に回動する主体板部と副体板部とからなり、前記主体板部と副体板部との対向する接合面側にこれらを閉成したとき挿通した封印線の坂抜けが不能となる差込溝と支持突起を設け、同じく、前記主体板部と副体板部との対向する接合面側にこれらを閉成したとき互いに係合して主体板部と副体板部の開成を不能にする爪片、係合片および鉤部をそれぞれ設け、また、主体板部または副体板部にはこれらを無理に開成することにより容易に破断する薄肉部を設けた構成が採られる。
【発明の効果】
【０００８】
本発明に係る封印具は、ヒンジ部を介し連接されると共に接離自在に回動する一対の合成樹脂製の開閉部材からなり、両開閉部材の接合面側に設けられた咬持手段により挿通した封印線を咬持すると共に両開閉部材を指先で挟み閉成することにより簡単に封印できるので、工具を使用する必要もなく、その作業性が極めて良好となるという有益な効果を奏する。
【発明を実施するための最良の形態】
【０００９】
以下、本発明に係る封印具の実施の形態を図面に基づき説明する。図１は本発明に係る封印具の表側斜視図、図２は同裏側斜視図、図３は同中央横断面図をそれぞれ示す。なお、本実施の形態では、積算電力量計の端子部に設けられる封印具について説明するが、本発明に係る封印具は、積算電力量計以外に他の配電機器、スロットマシン等の遊技機、タクシーメーターなどにおける開閉部、更には家畜飼料用袋の口部など封印を必要とする総てのものであって、封印線により封印する個所に適用される。
【００１０】
本発明の封印具Ａは、合成樹脂材によって一体に成形され、開いた状態で長さが約３０ｍｍ、幅が約１３ｍｍ程度である。そして、封印具Ａは、先端部を半円弧状に成形した底板１ａの周囲が外周側壁１ｂにより囲まれる開閉部材としての本体部１と、同じく先端部を半円弧状に成形した蓋板２ａの周囲が外周側壁２ｂにより囲まれる開閉部材としての蓋体部２とからなる。本体部１と蓋体部２とは共に基端部が薄肉のヒンジ部３を介して連接され、前記ヒンジ部３を中心として接離自在に回動するようになっている。蓋体部２は本体部１よりも一回り小さく成形されており、蓋体部２を本体部１に被せて閉成したとき、本体部１の外周側壁１ｂの内側に蓋体部２の外周側壁２ｂが摺接して重なる。
【００１１】
本体部１の接合面である底板１ａ内面の所定位置に、先端に互いに外側を向く係合手段としての鉤部４ａを有する二個の弾性係止突起４，４が突設される。また、外周側壁１ｂにはその両側に、それぞれ両弾性係止突起４，４間に対応位置して咬持手段としてのＶ形の差込溝５，５が設けられる。この差込溝５，５は後記する封印線１３を挿通するためのものである。このため、封印線１３が二本入る程度の比較的狭い幅を有している。各差込溝５の奥端はほぼ底板１ａまで達しており、その底板１ａに両奥端を結ぶ線の近傍に位置して該線と平行な薄肉部６が設けられている。また、底板１ａ内面に前記弾性係止突起４，４間のほぼ中央に位置しかつ両差込溝５，５に投影し一部係るようにして高さの低い押え片７が突設されている。これは、差込溝５，５に挿通された封印線１３を押し込む働きをしている。
【００１２】
一方、蓋体部２には、前記本体部１の両弾性係止突起４，４と対応位置させて接合面である蓋板２ａの基端側に弾性係止突起８が突設され、該弾性係止突起８の先端と先端側の外周側壁２ｂの内側とに互いに内側を向く係合手段としての鉤部８ａ，８ａが設けられる。また、外周側壁２ｂの両側に本体部１の両差込溝５，５と対応位置して同じＶ形の咬持手段としての差込溝９，９が設けられている。この差込溝９，９は、本体部１に蓋体部２を被せたとき該本体部１側の差込溝５，５とは少しずれるようにその位置が設定される。また、この差込溝９，９は、本体部１側の差込溝５，５とはＶ形溝の開角度が少し大きく設定される。蓋板２ａ内面には、両差込溝９，９を投影し各差込溝９，９を挟むように位置して高さの低いガイド片１０，１０が一対ずつ突設されている。この両ガイド片１０，１０はこの間で封印線１３を規制してその長さ方向と直交する方向へのずれを防ぐものである。更に、蓋板２ａにおける前記弾性係止突起８の基端部の一側面に、該弾性係止突起８に沿って切欠１１が設けられ、その奥端に薄肉部１２が成形されている。
【００１３】
本実施の形態で封印具Ａと一緒に使用される封印線１３は、図６に一部拡大して示すように例えばポリエステル樹脂製からなる屈撓性に富んだ芯線１４の外周面にステンレス鋼の細い金属丸線１５を適宜間隔を隔てて捩りかつ螺旋状に巻回して成形されている。この封印線１３は金属線が断面丸形状をしていることから、はさみで切断してもその切断面が綺麗に切断され、バリが生ずることはない。このように、切断端面にバリが生じないことから、後記する封印ねじ１０３の挿通孔１０５や後記する引起し孔１０６にも挿通し易い。
【００１４】
本発明に係る封印具Ａは上記構成からなり、次に該封印具Ａが適用される積算電力量計Ｓについて説明する。図４は本発明に係る封印具の使用状態を示す積算電力量計の斜視図である。該積算電力量計Ｓは、例えば一般の住宅の外壁Ｗに取り付けられ、ケーシング本体１００の下部に端子ボックス１０１が一体に設けられている。この端子ボックス１０１は、前面が開放されると共にその前面に蓋体１０２が開閉自在に被着され、その両側に蓋体１０２を被着した状態で固定する封印ねじ１０３，１０３が螺締めされる。封印ねじ１０３の頭部１０４は蓋体１０２の外側に露出しており、また、この頭部１０４に封印線１３を挿通する挿通孔１０５が貫設されている。また、蓋体１０２前面であって封印ねじ１０３の近傍に、蓋体１０２の一部をプレスで引き起して成形した引起し孔１０６が設けられている。
【００１５】
そこで、本発明に係る封印具Ａを用いて封印する方法を説明する。所定の長さに切断された封印線１３を封印ねじ１０３の頭部１０４の挿通孔１０５に挿通すると共にその近傍の引起し孔１０６にも挿通する。そして、その封印線１３の両端部を重ねると共にその二本の両端部を図５（イ）に示すように開成した封印具Ａにおける本体部１の両差込溝５，５間に跨るようにして配置し、この状態で本体部１と蓋体部２を指先により挟み本体部１に蓋体部２を被せて閉成する。
【００１６】
これにより、図５（ロ）に示すように本体部１側の両弾性係止突起４，４の鉤部４ａ，４ａと蓋体部２側の弾性係止突起８の鉤部８ａ及び外周側壁２ｂの鉤部８ａが係合し、蓋体部２が開成不能に被せられる。また、二本の封印線１３は、本体部１側の差込溝５，５と蓋体部２側の差込溝９，９とにより成形される空間１６が狭められることにより絞り込まれる。また、この際、本体部１側の差込溝５，５と蓋体部２側の差込溝９，９とは位置がずれており、しかも、２本の封印線１３は押え片７により蓋体部２側の差込溝９，９の奥端側へ押し込まれることから、封印線１３はしっかりと噛み合わされ逆抜け不能に保持される。
【００１７】
このようにして封印が完了する。この状態で、封印線１３を封印具Ａから引き抜こうとしても不可能である。また、封印具Ａを封印線１３から外そうとしても、蓋体部２を本体部１から開けることはできず、強引に行なえば、いずれかの薄肉部６，１２から封印具Ａが破断することになり、不正行為が行なわれたことがつぶさに解る。
【００１８】
本実施の形態では、積算電力量計Ｓの端子ボックス１０１の封印について説明したが、ケーシング本体１００側についても同様にして封印できる。封印具Ａの点検・交換のため、その封印具Ａを撤去するときは、ペンチ（図示せず。）で封印線１３を切断し、また新しい封印線１３と封印具Ａを使用して前記と同じ方法で封印をする。
【００１９】
なお、封印線１３は、本実施の形態に係る封印線１３に限られるものではなく、外周面に金属丸線１５のような突条が設けられたものであれば、他の構造のものでも良い。
【００２０】
次に、他の実施の形態に係る封印具について説明する。この封印具Ａ１は、例えば家畜飼料用袋の口部を封印するのに使用されるものである。図７は、他の実施の形態に係る封印具の斜視図、図８は中央横断面図である。
【００２１】
他の実施の形態に係る封印具Ａ１も、合成樹脂材によって一体に成形され、開いた状態で長さが約７０ｍｍ、幅が約２３ｍｍ程度である。そして、該封印具Ａ１は、略方形板状をなす開閉部材としての主体板部２０と該主体板部２０とほぼ同じ形状の開閉部材としての副体板部２１とからなる。主体板部２０と副体板部２１とは共に基端部が薄肉のヒンジ部２２を介して連接され、これらが該ヒンジ部２２を中心とし接離自在に回動して開閉成するようになっている。
【００２２】
主体板部２０と副体板部２１の先端縁の中央に、互いに閉成したときそれぞれ重なる突状板部２０ａ，２１ａが一体に延設されている。また、主体板部２０と副体板部２１の基端側には、共にヒンジ部２２と平行をなす突状部２０ｂ，２１ｂが一体に突設され、これらは閉成したとき互いに重なってほぼ円柱状になるように成形されている。
【００２３】
主体板部２０にあっては、突状板部２０ａの内面すなわち接合面２０ｃに矢じり型の係合手段としての爪片２３を先端に設けた弾性係止突起２４が直角に突設されている。この弾性係止突起２４の基端部と対向する突状板部２０ａにはその外側面に、ほぼ同じ大きさの抜孔２５が凹設され、これにより弾性係止突起２４の基端部周縁に主体板部２０と繋がる薄肉部２６が成形される。よって、仮に弾性係止突起２４を無理に引っ張ると前記薄肉部２６から容易に破断するようになっている。
【００２４】
前記突状部２０ｂの両端すなわち主体板部２０の両側端縁に、内側へ突出する半円板状の突片２７，２７が一体に設けられている。両突片２７，２７に後記する封印線となる２本の細紐１０９，１０９が挿通される咬持手段としての差込溝２８，２８が刻設される。また、両突片２７，２７間における突条部２０ｂの接合面２０ｃには、中央に挿入孔２９が凹設され、その両側に所定の高さの咬持手段としての支持突起３０，３０が突設されている。両支持突起３０，３０の先端面にはそれぞれＶ溝３１が刻設されている。この際、前記両差込溝２８，２８とＶ溝３１，３１はいずれも一直線上に沿うように配置されている。前記挿入孔２９の内周面の一側に係合手段としての鉤部３２が突設され、主体板部２０と副体板部２１が閉成したとき副体板部２１側の支持突起３８が該鉤部３２に係合するようになっている。
【００２５】
一方、副体板部２１は、突状板部２１ａの外面に膨出部３３が一体に設けられ、該膨出部３３に接合面２１ｃ側で開口しかつ前記弾性係止突起２４と対応位置する係止孔３４が開設されている。この係止孔３４の内周面には、前記弾性係止突起２４が挿入されたときその先端の爪片２３，２３が両側から抜脱不能に係合する一対の係合片３５，３５が突設されている。副体板部２１の基端側には、その接合面２１ｃの両側縁部に前記両差込溝２８，２８に対応位置して僅かに窪む咬持手段としての凹溝３６，３６が設けられ、また、両凹溝３６，３６間の接合面２１ｃに前記各両支持突起３０，３０に対応位置する挿入孔３７，３７が凹設され、その間には前記主体板部２０側の挿入孔２９に対応位置して咬持手段としての支持突起３８が突設されている。
【００２６】
前記支持突起３８の先端面にもＶ溝３９が設けられ、前記両凹溝３６，３６と前記Ｖ溝３９とは一直線上に沿って並ぶようになっている。しかも、前記主体板部２０と副体板部２１を閉成したとき、両差込溝２８，２８、凹溝３６，３６、各支持突起３０，３８のＶ溝３１，３９とがすべて一直線上に並ぶことになる。この内、前記支持突起３８の先端一側に、前記挿入孔２９の鉤部３２に係合する係合手段としての鉤部４０が突設される。また、支持突起３８の基端部と対向する副体板部２１には、ほぼ同じ大きさの抜孔４１が凹設され、これにより支持突起３８の基端部周縁に副体板部２１と繋がる薄肉部４２が成形される。よって、仮に支持突起３８を無理に引っ張ると前記薄肉部４２から容易に破断するようになっている。
【００２７】
他の実施の形態に係る封印具Ａ１は上記構成からなり、次に、該封印具Ａ１を例えば家畜飼料用袋の口部の封印に使用する場合を説明する。家畜飼料用袋１０７は、図９に示すように所定量の種を投入した後に、その口部を折り曲げると共にその折曲部１０８を２本の細紐１０９，１０９により編むようにして縫着され、その一端が袋１０７の端から適宜長さ引き出されている。そして、口部を開封する場合は、前記引き出された細紐１０９，１０９の内の一方を引っ張ると、自動的に両細紐１０９，１０９が分離されて解け、口部が開けられるようになっている。
【００２８】
そこで、前記袋１０７から引き出される２本の細紐１０９，１０９を両突片２７，２７の差込溝２８，２８と両支持突起３０，３０のＶ溝３１，３１間に掛け渡す。そして、この状態で図１０に示すように、両接合面２０ｃ，２１ｃが重なるように主体板部２０に対し副体板部２１を指先で回動させて閉成する。これにより、主体板部２０側の各突片２７が副体板部２１側の突条部２１ｂの外側面に摺接すると共に両側の各支持突起３０が各挿入孔３７に介入する。また、副体板部２１側の中央の支持突起３８も主体板部２０側の挿入孔２９に介入して、その先端部の鉤部４０が鉤部３２に係合するようになる。同時に、図１１に示すように主体板部２０側の弾性係止突起２４が副体板部２１側の係止孔３４内に挿入され、両側の爪片２３，２３が両係合片３５，３５に抜脱不能に係合する。
【００２９】
この状態では、図１２に示すように前記２本の封印線としての細紐１０９，１０９が各支持突起３０，３０，３８のＶ溝３１，３１，３９によりほぼクランク状に張られ、しかも、各差込溝２８では凹溝３６がその奥端部まで近接し、２本の細紐１０９，１０９を挟着するので、その２本の細紐１０９，１０９は封印具Ａ１から引き抜くことができなくなる。そして、主体板部２０と副体板部２１とが前記のように係合されることにより、これらが開成不能に保持される。これにより、封印が完了する。
【００３０】
そして、通常の開封に際しては、本実施の形態に係る封印具Ａと同様に細紐１０９，１０９を鋏で切断して口部を開封する。また、鋏がない場合は、主体板部２０と副体板部２１とを開成して２本の細紐１０９，１０９を取り外す。この際、前記弾性係止突起２４や中央の支持突起３８はいずれも係合したまま係止孔３４、挿入孔２９内に残り、周囲に飛散することがないので、環境美化に繋がる。
【００３１】
一方、不正の目的で前記主体板部２０と副体板部２１を引き剥がして無理に開成すると、前記弾性係止突起２４の基端部の薄肉部２６が破断すると共に中央の支持突起３８の基端部の薄肉部４２も破断してしまい、主体板部２０と副体板部２１とが開成したままとなって元の状態に戻すことができなくなり、これにより不正が行なわれたことがつぶさに解り対処し易い。
【００３２】
以上のように、本発明の封印具Ａ，Ａ１は、ヒンジ部を介し連接されると共に接離自在に回動する一対の合成樹脂製の開閉部材からなり、両開閉部材の接合面側に設けられた咬持手段により挿通された封印線を咬持すると共に両開閉部材を指先で挟み閉成することにより簡単に封印ができるので、工具を使用する必要もなく、その作業性が極めて良好となる。
【図面の簡単な説明】
【００３３】
【図１】本発明に係る封印具の表側斜視図。
【図２】同封印具の裏側斜視図。
【図３】同封印具の中央横断面図。
【図４】同封印具の使用状態を示す積算電力量計の斜視図。
【図５】（イ）は同作用を示す要部の断面図、（ロ）は同要部の断面図。
【図６】封印線の一部の拡大斜視図。
【図７】他の実施の形態に係る封印具の斜視図。
【図８】同中央横断面図。
【図９】同使用状態を示す家畜飼料用袋の斜視図。
【図１０】同閉成した状態の中央横断面図。
【図１１】図１０のＸ−Ｘ線断面図。
【図１２】図１０のＹ−Ｙ線断面図。
【符号の説明】
【００３４】
１              本体部
１ａ            底板
１ｂ            外周側壁
２              蓋体部
２ａ            蓋板
２ｂ            外周側壁
３              ヒンジ部
４ａ            係合手段（鉤部）
５              咬持手段（差込溝）
６              薄肉部
８ａ            係合手段（鉤部）
９              咬持手段（差込溝）
１２            薄肉部
１３            封印線
Ａ              封印具
【図１】
2006091511.tif 000003
【図２】
2006091511.tif 000004
【図３】
2006091511.tif 000005
【図４】
2006091511.tif 000006
【図５】
2006091511.tif 000007
【図６】
2006091511.tif 000008
【図７】
2006091511.tif 000009
【図８】
2006091511.tif 000010
【図９】
2006091511.tif 000011
【図１０】
2006091511.tif 000012
【図１１】
2006091511.tif 000013
【図１２】
2006091511.tif 000014